(57)【要約】  【課題】複数の用紙を好適に位置決めして連結し得る連結シールを提供する。  【解決手段】複数の用紙を連結するための連結シールであり、一面に粘着剤層を有した基材と、この基材の一面に相互に隣接させて剥離可能に添着された複数の剥離紙とを具備してなり、前記複数の剥離紙の内、一の剥離紙を剥がすことにより表出した他の剥離紙の端面に、前記用紙の端縁を当接させて当該用紙を位置決めし得るように構成されたものとした。このようなものであれば、複数の用紙を好適に位置決めして連結し得る連結シールを提供することができるものとなる。【選択図】図５
2017198730.tif 000002
【特許請求の範囲】
【請求項１】
複数の用紙を連結するための連結シールであって、
一面に粘着剤層を有した基材と、この基材の一面に相互に隣接させて剥離可能に添着された複数の剥離紙とを具備してなり、
前記複数の剥離紙の内、一の剥離紙を剥がすことにより表出した他の剥離紙の端面に、前記用紙の端縁を当接させて当該用紙を位置決めし得るように構成されている連結シール。
【請求項２】
前記基材が、三角形状をなしたものであり、
前記複数の剥離紙が二枚の剥離紙であり、これら二枚の剥離紙により前記基材に対応する大きさに設定されており、且つ、前記二枚の剥離紙がそれぞれ対称形状をなした三角形状のものである請求項１記載の連結シール。
【請求項３】
前記一方の剥離紙に対応する前記基材の貼り付け領域に前記一方の用紙の角部を貼り付け得るようにしている請求項２記載の連結シール。
【請求項４】
前記基材が、四角形状をなしたものであり、
前記複数の剥離紙が、三枚又は四枚の剥離紙であり、これら三枚又は四枚の剥離紙により前記基材に対応する大きさに設定されており、且つ、前記三枚又は四枚の剥離紙の内、二枚の剥離紙がそれぞれ対称形状をなした三角形状のものである請求項１記載の連結シール。
【請求項５】
前記二枚の剥離紙の内、前記一方の剥離紙に対応する前記基材の貼り付け領域に、前記一の用紙の角部を貼り付け得るようにしている請求項４記載の連結シール。
【請求項６】
前記剥離紙の厚み寸法が、０．２〜０．５ｍｍに設定されている請求項１、２、３、４又は５記載の連結シール。
【請求項７】
前記基材が、透光性を有したものである請求項１、２、３、４、５又は６記載の連結シール。
【発明の詳細な説明】
【技術分野】
【０００１】
本発明は、複数の用紙を連結するための連結シールに関する。
【背景技術】
【０００２】
従来から、順次繰り出されるテープ等を使用することにより、複数の用紙を連結することが行われている（例えば、特許文献１を参照）。
【０００３】
しかしながら、このようなテープを使用する場合には、各用紙をテープに対して適切な位置に位置決めし難いものとなっている。
【０００４】
このため、従来のものでは、複数の用紙が整然と連結されず、見栄えを損ねてしまう場合があった。
【先行技術文献】
【特許文献】
【０００５】
【特許文献１】実開平７−２４９４８号公報
【発明の概要】
【発明が解決しようとする課題】
【０００６】
本発明は、以上のような事情に着目してなされたもので、複数の用紙を好適に位置決めして連結し得る連結シールを提供することにある。
【課題を解決するための手段】
【０００７】
すなわち、本発明は次の構成をなしている。
【０００８】
請求項１に記載の発明は、複数の用紙を連結するための連結シールであって、一面に粘着剤層を有した基材と、この基材の一面に相互に隣接させて剥離可能に添着された複数の剥離紙とを具備してなり、前記複数の剥離紙の内、一の剥離紙を剥がすことにより表出した他の剥離紙の端面に、前記用紙の端縁を当接させて当該用紙を位置決めし得るように構成されている連結シールである。
【０００９】
請求項２に記載の発明は、前記基材が、三角形状をなしたものであり、前記複数の剥離紙が二枚の剥離紙であり、これら二枚の剥離紙により前記基材に対応する大きさに設定されており、且つ、前記二枚の剥離紙がそれぞれ対称形状をなした三角形状のものである請求項１記載の連結シールである。
【００１０】
請求項３に記載の発明は、前記一方の剥離紙に対応する前記基材の貼り付け領域に前記一方の用紙の角部を貼り付け得るようにしている請求項２記載の連結シールである。
【００１１】
請求項４に記載の発明は、前記基材が、四角形状をなしたものであり、前記複数の剥離紙が、三枚又は四枚の剥離紙であり、これら三枚又は四枚の剥離紙により前記基材に対応する大きさに設定されており、且つ、前記三枚又は四枚の剥離紙の内、二枚の剥離紙がそれぞれ対称形状をなした三角形状のものである請求項１記載の連結シールである。
【００１２】
請求項５に記載の発明は、前記二枚の剥離紙の内、前記一方の剥離紙に対応する前記基材の貼り付け領域に、前記一の用紙の角部を貼り付け得るようにしている請求項４記載の連結シールである。
【００１３】
請求項６に記載の発明は、前記剥離紙の厚み寸法が、０．２〜０．５ｍｍに設定されている請求項１、２、３、４又は５記載の連結シールである。
【００１４】
請求項７に記載の発明は、前記基材が、透光性を有したものである請求項１、２、３、４、５又は６記載の連結シールである。
【発明の効果】
【００１５】
以上説明したように本発明によれば、複数の用紙を好適に位置決めして連結し得る連結シールを提供することができる。
【図面の簡単な説明】
【００１６】
【図１】本発明の第一の実施形態を示す正面図。
【図２】図１におけるＸ−Ｘ線断面図。
【図３】同実施形態における正面図。
【図４】同実施形態における正面図。
【図５】同実施形態における斜視図。
【図６】同実施形態における正面図。
【図７】同実施形態における正面図。
【図８】一使用状態を説明するための正面図。
【図９】一使用状態を説明するための概略図。
【図１０】本発明の第二の実施形態を示す正面図。
【図１１】同実施形態における斜視図。
【図１２】本発明の第三の実施形態を示す正面図。
【図１３】本発明の第四の実施形態を示す正面図。
【図１４】同実施形態における斜視図。
【発明を実施するための形態】
【００１７】
以下、本発明の各実施形態について説明する。
【００１８】
＜第一の実施形態＞
第一の実施形態は、複数の用紙Ａ、Ｂにおける直角の角部Ａ１、Ｂ１同士、すなわち、第一の用紙Ａにおける直角の角部Ａ１と、第一の用紙Ａ１に隣接させた第二の用紙Ｂにおける直角の角部Ｂ１とを連結するための連結シールＳに適用したものである。この連結シールＳは、図１に示すように、正面視において三角形状をなしている。
【００１９】
連結シールＳは、図２に示すように、一面の略全域に粘着剤層１２を有した基材たるシール本体１と、このシール本体１の一面に相互に隣接させて剥離可能に添着された複数の剥離紙たる第一、第二の剥離紙２、３とを具備している。
【００２０】
シール本体１は、正面視において略二等辺三角形状をなしている。シール本体１は、シート状をなす基材本体１１と、この基材本体１１の一方の面１１ａの略全域に配された粘着剤層１２とを備えている。シール本体１は、透光性を有したものとなっている。なお、この明細書において「透光性を有したもの」とは、透明だけでなく、半透明も含む概念である。
【００２１】
基材本体１１は、紙製又は合成樹脂製のものである。基材本体１１は、透光性を有している。すなわち、基材本体１１は、使用者が見たときに、当該基材本体１１を介して裏側の物体が透けて視認され得るように構成されている。
【００２２】
粘着剤層１２は、一定の接着力を有するものであり、例えば、透光性を有したアクリル系の粘着剤を、基材本体の一面１１ａに隙間なく塗布してなるものである。
【００２３】
以上の構成をなすシール本体１は、一方の剥離紙である第一の剥離紙２に対応するシール本体１の第一の貼り付け領域ｒ１に、第一の用紙Ａの角部Ａ１を貼り付け得るようにしている。シール本体１は、他方の剥離紙である第二の剥離紙３に対応するシール本体１の第二の貼り付け領域ｒ２に、第二の用紙Ｂの角部Ｂ１を貼り付け得るようにしている。
【００２４】
二枚の剥離紙、すなわち、第一、第二の剥離紙２、３は、紙又は合成樹脂を主体に構成されたシート状のものである。第一、第二の剥離紙２、３は、シール本体１に接する側の面に、シール本体１から剥がしやすくするための処理（図示しないが、例えば、シリコン処理等）が施されている。
【００２５】
第一、第二の剥離紙２、３は、それぞれ対称形状をなした三角形状のものとなっており、これら第一、第二の剥離紙２、３によりシール本体１に対応する大きさに設定されている。すなわち、隣接させた第一、第二の剥離紙２、３は、それらによって、シール本体１と同一の面積になるように設定されている。
【００２６】
剥離紙２、３の厚み寸法は、通常の剥離紙（０．１ｍｍ程度）と比べて厚み寸法が大きく設定されている。具体的には、剥離紙２、３の厚み寸法は、０．２〜０．５ｍｍに設定されている。このため、剥離紙２、３には、当該剥離紙２、３の厚み寸法に対応した幅寸法をなす端面２ｅ、２ｆ、２ｇ、３ｅ、３ｆ、３ｇが形成されている。これら端面２ｅ、２ｆ、２ｇ、３ｅ、３ｆ、３ｇは、シール本体１に添着している状態で、シール本体１における粘着剤層１２側の面（基材本体１１の一方の面１１ａ）が向く方向に対して略直交する方向を向くものとなっている。
【００２７】
第一の剥離紙２は、相互に直交する第一、第二の端面２ｅ、２ｆを備えている。第二の剥離紙３は、相互に直交する第一、第二の端面３ｅ、３ｆを備えている。第一の剥離紙２における第一の端面２ｅが、第二の剥離紙３における第一の端面３ｅと対面するものであり、第一、第二の剥離紙２、３における各第二の端面２ｆ、３ｆが、正面視において、シール本体１における一辺たる長辺１ｅに合致するように位置している。
【００２８】
第一の剥離紙２は、第一、第二の端面２ｅ、２ｆ間を繋ぐ位置に、第三の端面２ｇを備えている。第三の端面２ｇは、第一の剥離紙２がシール本体１に添着している状態において、シール本体１における一方の短辺１ｆに合致するように位置している。
【００２９】
第二の剥離紙３は、第一、第二の端面３ｅ、３ｆ間を繋ぐ位置に、第三の端面３ｇを備えている。第三の端面３ｇは、第二の剥離紙３がシール本体１に添着している状態において、シール本体１における他方の短辺１ｇに合致するように位置している。
【００３０】
しかして、この実施形態における連結シールＳは、第一の剥離紙２、及び、第二の剥離紙３のいずれか一方をシール本体１から剥がすことにより、シール本体１から剥がされずに当該シール本体１に添着している第二の剥離紙３、及び、第一の剥離紙２のいずれか一方の剥離紙の端面３ｅ、２ｅに、第一の用紙Ａ１における角部Ａ１の端縁Ａ１１、又は、第二の用紙Ｂにおける角部Ｂ１の端縁Ｂ１１を当接させて当該第一の用紙Ａ、又は、第二の用紙Ｂをシール本体１に対して位置決めし得るように構成されている。
【００３１】
次いで、連結シールＳを使用して、第一の用紙Ａの角部Ａ１と第二の用紙Ｂの角部Ｂ１とを連結する態様について、その一例を説明する。なお、以下の説明では、第一、第二の用紙Ａ、Ｂにおける上部の角部Ａ１、Ｂ１の連結についての一例を説明するが、第一、第二の用紙Ａ、Ｂにおける下部の角部Ａ２、Ｂ２についても上部の角部Ａ１、Ｂ１の連結に準じた態様で行うことができる。
【００３２】
まず、図３に示すように、第一の剥離紙２をシール本体１から剥がす。これにより、シール本体１には一方たる第一の貼り付け領域ｒ１が表出することになる。また、シール本体１に添着した状態で残存している第二の剥離紙３における第一の端面３ｅが表出することになる。
【００３３】
次いで、図４、及び、図５に示すように、第一の用紙Ａの角部Ａ１をシール本体１における第一の貼り付け領域ｒ１に接着させる。このとき、第一の用紙Ａにおける一方の端縁Ａ１１を、第二の剥離紙３における第一の端面３ｅに付き合わせる（端縁Ａ１１を端面３ｅに当てる）ことにより、シール本体１に対する第一の用紙Ａの一方向（各図における左右方向）の位置決めができるようになっている。また、第一の用紙Ａにおける他方の端縁Ａ１２を、目視により、シール本体１の長辺１ｅに合わせることにより、シール本体１に対する第一の用紙Ａの他方向（一方向と直交する方向であり、各図における上下方向）の位置決めができるようになっている。
【００３４】
続いて、図６に示すように、シール本体１の上に残存していた第二の剥離紙３をシール本体１から剥がす。これにより、シール本体１には他方たる第二の貼り付け領域ｒ２が表出することになる。
【００３５】
しかる後に、図７に示すように、第二の用紙Ｂの角部Ｂ１をシール本体１における第二の貼り付け領域ｒ２に接着させる。このとき、第二の用紙Ｂにおける一方の端縁Ｂ１１を、第一の用紙Ａの一方の端縁Ａに、主として目視によって合わせることにより、シール本体１に対する第二の用紙Ｂの一方向（各図における左右方向）の位置決めができるようになっている。また、第二の用紙Ｂにおける他方の端縁Ｂ１２を、目視により、シール本体１の長辺１ｅに合わせることにより、シール本体１に対する第二の用紙Ｂの他方向（一方向と直交する方向であり、各図における上下方向）の位置決めができるようになっている。
【００３６】
以上の過程を経て、第一の用紙Ａの角部Ａ１と第二の用紙Ｂの角部Ｂ１とが、連結シールＳによって連結されることになる。この結果、図８の例に示すように、一方の端縁Ａ１１と他方の端縁Ｂ１１とを隙間なく付き合わせた態様、且つ、一方の端縁Ａ１２と他方の端縁Ｂ１２とが横方向に直線状に連続した態様で、第一の用紙Ａ、及び、第二の用紙Ｂを隣り合わせて連結することが可能となる。
【００３７】
なお、図９の例に示すように、複数の連結シールＳを用いて、第一の用紙Ａ、第二の用紙Ｂ、及び、他の用紙Ｃ、Ｄを隣り合わせて横方向に連結させることによって、全体として屏風のような態様をなし得る用紙連結体を構成することができるものとなる。
【００３８】
なお、上述した連結シールＳの使用態様は、あくまでも一例であり、これに限られるものではない。例えば、連結シールＳの使用過程において、シール本体１に添着した第一、第二の剥離紙２、３間の境界部分を目印として、シール本体１の中心部分に、折り線を付けるようにしてもよい。また、連結シールＳにおけるシール本体１は、連結するべき第一、第二の用紙Ａ、Ｂの表面側に貼り付けるようにしてもよい。
【００３９】
以上説明したように、本実施形態に係る連結シールＳは、複数の用紙たる第一、第二の用紙Ａ、Ｂを連結するためのものである。そして、一面に粘着剤層１２を有した基材たるシール本体１と、このシール本体１の一面に相互に隣接させて剥離可能に添着された複数の剥離紙たる第一、第二の剥離紙２、３とを具備している。第一、第二の剥離紙２、３のいずれか一方を剥がすことにより表出した第二、第一の剥離紙の端面３ｅ、２ｅに、第一の用紙Ａの一方の端縁Ａ１１、又は、第二の用紙Ｂの一方の端縁Ｂ１１を当接させることにより、当該第一の用紙Ａ、又は、第二の用紙Ｂをシール本体１に対して位置決めし得るものとなっている。
【００４０】
このため、複数の用紙Ａ、Ｂを好適に位置決めして連結し得る連結シールＳを提供することができるものとなる。
【００４１】
つまり、用紙Ａにおける一方の端縁Ａ１１は、第一の剥離紙２が剥がされたことにより表出した第二の剥離紙３における第一の端面３ｅに、当接することによって位置決めされるため、目視によるものと比べてより確実に用紙Ａをシール本体１に対して位置決めし得るものとなっている。なお、第二の剥離紙３を先に剥がした場合は、用紙Ｂにおける一方の端縁Ｂ１１は、第二の剥離紙３が剥がされたことにより表出した第一の剥離紙２における第一の端面２ｅに、当接することによって位置決めされるため、目視によるものと比べてより確実に用紙Ｂをシール本体１に対して位置決めし得るものとなっている。
【００４２】
基材たるシール本体１が、三角形状をなしている。そして、二枚の剥離紙たる第一、第二の剥離紙２、３が、これら二枚の剥離紙２、３によりシール本体１に対応する大きさに設定されている。また、第一、第二の剥離紙２、３がそれぞれ対称形状をなした三角形状のものとなっている。このため、第一、第二の用紙Ａ、Ｂが、シール本体１上にバランスよくきれいに並んだ態様で、好適に止着され得るものとなっている。
【００４３】
一方の剥離紙たる第一の剥離紙２に対応するシール本体１の第一の貼り付け領域ｒ１に、一方の用紙たる第一の用紙Ａの角部Ａ１を貼り付け得るようにしている。他方の剥離紙たる第二の剥離紙３に対応するシール本体１の第二の貼り付け領域ｒ２に、他方の用紙たる第二の用紙Ｂの角部Ｂ１を貼り付け得るようにしている。このため、第一の貼り付け領域ｒ１、及び、第二の貼り付け領域ｒ２がそれぞれ三角形状をなしている。このため、例えば、四角形状の貼り付け領域が形成されるようなものと比較して、第一、第二の用紙Ａ、Ｂに対する外観上の見苦しさを抑制することができ、且つ、第一、第二の用紙Ａ、Ｂに接着するためのシール本体１における必要な貼着力が好適に保持され得るものとなっている。
【００４４】
第一、第二の剥離紙２、３の厚み寸法が、０．２〜０．５ｍｍに設定されている。このため、用紙Ａの端縁Ａ１１が突き当たる端面３ｅ（又は、用紙Ｂの端縁Ｂ１１が突き当たる端面２ｅ）が好適に形成され得るものとなっている。
【００４５】
基材たるシール本体１が、透光性を有したものである。このため、シール本体１に覆われた用紙Ａ、Ｂの文字等が視認され得るものとなり、シール本体１の存在が違和感を与えにくいものとなっている。また、第一、第二の用紙Ａ、Ｂにおける手前側の面にシール本体１を貼り付ける場合には、シール本体１を介して第一、第二の用紙Ａ、Ｂを視認し得るものとなっているため、シール本体１の第一、第二の用紙Ａ、Ｂに対する位置決めが好適に行い得るものとなっている。
【００４６】
次いで、第二の実施形態について説明する。なお、以下の各実施形態において、第一の実施形態と同一又は対応する構成については、同一の符号を付して説明するものとし、詳細な説明を省略することがある。
【００４７】
＜第二の実施形態＞
第二の実施形態は、図１０、及び、図１１に示すように、第一の用紙Ａにおける直角の角部Ａ１と、第一の用紙Ａ１に隣接させた第二の用紙Ｂにおける直角の角部Ｂ１とを連結するための連結シールＳに適用したものである。この連結シールＳは、正面視において四角形状をなしている。
【００４８】
連結シールＳにおけるシール本体１が、四角形状をなしたものとなっている。そして、三枚の剥離紙すなわち第一、第二、及び、第三の剥離紙２、３、４によりシール本体１に対応する大きさに設定されている。この中で、第一、第二の剥離紙２、３がそれぞれ対称形状をなした三角形状のものとなっている。第三の剥離紙４は、第一の剥離紙２と第二の剥離紙３とを合わせた形状と対称形状をなしている。シール本体１に添着している第一、第二、第三の剥離紙２、３、４との間には、Ｔ字状をなす境界線が形成されている。
【００４９】
換言すれば、三枚の剥離紙２、３、４の内、第一の剥離紙２が、相互に直交するとともに第二の剥離紙３の端面３ｅ、及び、第三の剥離紙４の端面４ｅと対面する一対の端面２ｅ、２ｆを備えたものとなっている。また、三枚の剥離紙２、３、４の内、第二の剥離紙３が、相互に直交するとともに第一の剥離紙２の端面２ｅ、及び、第三の剥離紙４の端面４ｅと対面する一対の端面３ｅ、３ｆを備えたものとなっている。
【００５０】
そして、第一の剥離紙２に対応するシール本体１の第一の貼り付け領域ｒ１に、第一の用紙Ａの角部Ａ１を貼り付け得るようにしている。第二の剥離紙３に対応するシール本体１の第二の貼り付け領域ｒ２に、第二の用紙Ｂの角部Ｂ１を貼り付け得るようにしている。
【００５１】
図１１に示すように、第三の剥離紙４に対応するシール本体１の上半部分は、シール本体１の下半部分との境界部分、すなわち、第一、第二の剥離紙２、３の端面２ｆ、３ｆとこれらの端面２ｆ、３ｆを向く第三の剥離紙４の端面４ｅとの間に対応するシール本体１の部分で折り曲げられる。そして、シール本体１における第三の剥離紙４に対応する第三の貼り付け領域ｒ３は、第一、第二の用紙Ａ、Ｂの角部Ａ１、Ｂ１における他面側に貼り付けられる。
【００５２】
第二の実施形態に示すものも、第一の実施形態と同様に、第一、第二の用紙Ａ、Ｂを好適に位置決めして連結し得る連結シールＳを提供することができるものとなる。
【００５３】
しかも、第二の実施形態に示すものは、用紙Ａにおける他方の端縁Ａ１２も、第一の剥離紙２が剥がされることにより表出した第三の剥離紙４における端面４ｅに、当接することによって位置決めされ得るものとなる。このため、用紙Ａをシール本体１に対して好適に位置決めし得るものとなっている。つまり、用紙Ａの角部Ａ１は、第二の剥離紙３の端面３ｅ、及び、第三の剥離紙４の端面４ｅにそれぞれ当接することによってシール本体１に対する位置決めがなされるものとなる。
【００５４】
また、第二の実施形態に示すものであれば、第一、第二の用紙Ａ、Ｂにおける角部Ａ１、Ｂ１を、一面側及び他面側からシール本体１により連結することができるため、隣接する第一、第二の用紙Ａ、Ｂをより強固に連結し得るものとなっている。
【００５５】
＜第三の実施形態＞
第三の実施形態は、図１２に示すように、第一の用紙Ａにおける直角の角部Ａ１と、第一の用紙Ａ１に隣接させた第二の用紙Ｂにおける直角の角部Ｂ１とを連結するための連結シールＳに適用したものである。この連結シールＳは、正面視において六角形状をなしている。
【００５６】
第三の実施形態に示すものは、第二の実施形態に示すものと比較して、矩形状をなす第四の剥離紙５、及び、シール本体１に第四の剥離紙５に対応する第四の貼り付け領域ｒ４を有している点が異なっている。
【００５７】
連結シールＳにおけるシール本体１が、六角形状をなしたものとなっている。そして、四枚の剥離紙すなわち第一、第二、第三、第四の剥離紙２、３、４、５によりシール本体１に対応する大きさに設定されている。この中で、第一、第二の剥離紙２、３がそれぞれ対称形状をなした三角形状のものとなっている。第三の剥離紙４は、第一の剥離紙２と第二の剥離紙３とを合わせた形状と対称形状をなしている。第一、第二の剥離紙２、３と第三の剥離紙４との間には、長方形状をなした第四の剥離紙５が配されている。この第四の剥離紙５に対応するシール本体１の貼り付け領域ｒ４は、一定の厚みを有した用紙Ａ、Ｂに対応し得るマチ部を構成し得るものとなっている。
【００５８】
第三の実施形態に示すものも、上述した各実施形態と同様に、第一、第二の用紙Ａ、Ｂを好適に位置決めして連結し得る連結シールＳを提供することができるものとなる。しかも、用紙Ａにおける他方の端縁Ａ１２は、第一の剥離紙２が剥がされることにより表出した第四の剥離紙５における端面５ｅに、当接することによって位置決めされるため、好適に用紙Ａをシール本体１に対して位置決めし得るものとなっている。また、第三の実施形態に示すものであれば、シール本体１の中間部分、すなわち、帯状をなす第四の剥離紙５に対応する部位にマチ部を形成しているため、用紙Ａ、Ｂが一般的な用紙よりも厚みのあるものであっても柔軟に対応し得るものとなっている。
【００５９】
＜第四の実施形態＞
第四の実施形態は、図１３、及び、図１４に示すように、第一の用紙Ａにおける直角の角部Ａ１と、第一の用紙Ａ１に隣接させた第二の用紙Ｂにおける直角の角部Ｂ１とを連結するための連結シールＳに適用したものである。第四の実施形態は、第二の実施形態に準じた使用も可能であるが、図１４に示すように、第一、第二の用紙Ａ、Ｂにおける上部の直角の角部Ａ１、Ｂ１に加えて、第三の用紙Ｃにおける下部の直角の角部Ｃ１と、第四の用紙Ｄにおける下部の直角の角部Ｄ１とを相互に連結し得る使用も可能となっている。この連結シールＳは、正面視において四角形状をなしている。
【００６０】
すなわち、連結シールＳにおけるシール本体１が、四角形状をなしたものとなっている。そして、四枚の剥離紙すなわち第一、第二、第三、第四の剥離紙２、３、６、７によりシール本体１に対応する大きさに設定されている。この中で、第一、第二の剥離紙２、３がそれぞれ対称形状をなした三角形状のものとなっており、第三、第四の剥離紙６、７がそれぞれ対称形状をなしている。第一、第二、第三、第四の剥離紙２、３、６、７との間には、十字状をなす境界線が形成されている。
【００６１】
そして、第一の剥離紙２に対応するシール本体１の第一の貼り付け領域ｒ１に、第一の用紙Ａの角部Ａ１を貼り付け得るようにしている。第二の剥離紙３に対応するシール本体１の第二の貼り付け領域ｒ２に、第二の用紙Ｂの角部Ｂ１を貼り付け得るようにしている。第三の剥離紙６に対応するシール本体１の第三の貼り付け領域ｒ５に、第三の用紙Ｃにおける下部の角部Ｃ１を貼り付け得るようにしている。第四の剥離紙７に対応するシール本体１の第四の貼り付け領域ｒ６に、第四の用紙Ｄにおける下部の角部Ｄ１を貼り付け得るようにしている。
【００６２】
第四の実施形態に示すものも、上述した各実施形態と同様に、第一、第二、第三、第四の用紙Ａ、Ｂ、Ｃ、Ｄを好適に位置決めして連結し得る連結シールＳを提供することができるものとなる。つまり、この実施形態のものであれば、第一、第二、第三、第四の用紙Ａ、Ｂ、Ｃ、Ｄの角部Ａ１、Ｂ１、Ｃ１、Ｄ１を、表出した剥離紙２、３、６、７における端面２ｅ、２ｆ、３ｅ、３ｆ、６ｅ、６ｆ、７ｅ、７ｆを適宜利用してシール本体１に対して好適に位置決めして連結し得るものとなる。
【００６３】
なお、本発明は、以上に詳述した実施形態に限られるものではない。
【００６４】
連結シールは、複数枚の用紙における、直角の角部を連結するものに限定されるものではない。
【００６５】
基材の材質や面積や厚み寸法は、適宜のものを採用することができるものである。
【００６６】
剥離紙の材質や面積や厚み寸法は、適宜のものを採用することができるものである。
【００６７】
その他、各部の具体的構成についても上記実施形態に限られるものではなく、本発明の趣旨を逸脱しない範囲で種々変形が可能である。
【符号の説明】
【００６８】
Ｓ…連結シール
１…シール本体（基材）
２…第一の剥離紙
２ｅ…端面
３…第二の剥離紙
３ｅ…端面
Ａ…第一の用紙（用紙）
Ａ１１…端縁
Ｂ…第二の用紙（用紙）
Ｂ１１…端縁
【図１】
2017198730.tif 000003
【図２】
2017198730.tif 000004
【図３】
2017198730.tif 000005
【図４】
2017198730.tif 000006
【図５】
2017198730.tif 000007
【図６】
2017198730.tif 000008
【図７】
2017198730.tif 000009
【図８】
2017198730.tif 000010
【図９】
2017198730.tif 000011
【図１０】
2017198730.tif 000012
【図１１】
2017198730.tif 000013
【図１２】
2017198730.tif 000014
【図１３】
2017198730.tif 000015
【図１４】
2017198730.tif 000016